【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ソースＤｉｓｐｌａｙＰｏｒｔによってソースデバイスと通信可能に接続された受信機であって、パケット化されたデータを受信する受信機と、
物理リンクを介して第１ディスプレイと通信可能に接続された出力ＤｉｓｐｌａｙＰｏｒｔと、
論理リンクを介して第２ディスプレイと通信可能に接続された論理ポートと、
前記出力ＤｉｓｐｌａｙＰｏｒｔに関連するＤｉｓｐｌａｙＰｏｒｔ構成データ（ＤＰＣＤ）を記憶し、前記論理ポートに関連する仮想ＤＰＣＤ（ＶＤＰＣＤ）を記憶するメモリと、
前記パケット化されたデータを、前記ＤＰＣＤに基づいて、前記物理リンクを介して前記第１ディスプレイに選択的に送信する送信機であって、前記パケット化されたデータを、前記ＶＤＰＣＤに基づいて、前記論理リンクを介して前記第２ディスプレイに選択的に送信する送信機と、を備え、
前記ＶＤＰＣＤは、前記パケット化されたデータを表示するように前記第２ディスプレイを構成するための情報を含む、
マルチストリームトランスポート（ＭＳＴ）シンクデバイス。
【請求項２】
前記メモリは、ＤｉｓｐｌａｙＰｏｒｔデータアドレス空間を含む、請求項１のＭＳＴシンクデバイス。
【請求項３】
前記ＶＤＰＣＤはＤＰＣＤ構文に少なくとも部分的に準拠する、請求項１のＭＳＴシンクデバイス。
【請求項４】
前記受信機は、前記ソースデバイスからの問い合わせを受信し、
前記メモリは、前記ＶＤＰＣＤの保存されたフィールド状態を記憶し、
前記送信機は、前記問い合わせに応じて、前記保存されたフィールド状態を、前記ソースＤｉｓｐｌａｙＰｏｒｔを介して前記ソースデバイスに送信する、請求項１のＭＳＴシンクデバイス。
【請求項５】
前記ＶＤＰＣＤは、表示ストリーム圧縮（ＤＳＣ）を使用して圧縮されたデータを受信するように前記第２ディスプレイを構成するための情報を含む、請求項１のＭＳＴシンクデバイス。
【請求項６】
前記ＶＤＰＣＤは、ダイナミックリフレッシュレート（ＤＲＲ）に適した前記第２ディスプレイを構成するための情報を含む、請求項１のＭＳＴシンクデバイス。
【請求項７】
前記受信機は、リモートＤＰＣＤ書き込みメッセージを介して前記ＶＤＰＣＤを受信する、請求項１のＭＳＴシンクデバイス。
【請求項８】
前記ＶＤＰＣＤは、パネルセルフリフレッシュ（ＰＳＲ）に適した前記第２ディスプレイを構成するための情報を含む、請求項１のＭＳＴシンクデバイス。
【請求項９】
物理リンクを介して第１ディスプレイと通信可能に接続されているマルチストリームトランスポート（ＭＳＴ）シンクを介して、前記第１ディスプレイと通信可能に接続された送信機であって、論理リンクを介して第２ディスプレイと通信可能に接続されている前記ＭＳＴシンクを介して、前記第２ディスプレイと通信可能に接続された送信機と、
前記物理リンクのＤｉｓｐｌａｙＰｏｒｔ構成データ（ＤＰＣＤ）を、メモリに記憶するために前記ＭＳＴシンクに送信し、前記論理リンクの仮想ＤＰＣＤ（ＶＤＰＣＤ）を、前記メモリに記憶するために前記ＭＳＴシンクに送信する送受信機と、
を備える、ＭＳＴソースデバイス。
【請求項１０】
前記メモリは、ＤｉｓｐｌａｙＰｏｒｔデータアドレス空間を含む、請求項９のＭＳＴソースデバイス。
【請求項１１】
前記ＶＤＰＣＤはＤＰＣＤ構文に少なくとも部分的に準拠する、請求項９のＭＳＴソースデバイス。
【請求項１２】
前記送受信機は、問い合わせを前記ＭＳＴシンクに送信し、前記ＶＤＰＣＤの保存されたフィールド状態を示す前記問い合わせに対する応答を前記ＭＳＴシンクから受信する、請求項９のＭＳＴソースデバイス。
【請求項１３】
前記ＶＤＰＣＤは、表示ストリーム圧縮（ＤＳＣ）を使用して圧縮されたデータを受信するように前記第２ディスプレイを構成するための情報を含む、請求項９のＭＳＴソースデバイス。
【請求項１４】
前記ＶＤＰＣＤは、ダイナミックリフレッシュレート（ＤＲＲ）に適した前記第２ディスプレイを構成するための情報を含む、請求項９のＭＳＴソースデバイス。
【請求項１５】
前記ＶＤＰＣＤは、パネルセルフリフレッシュ（ＰＳＲ）に適した前記第２ディスプレイを構成するための情報を含む、請求項９のＭＳＴソースデバイス。
【請求項１６】
前記ＶＤＰＣＤは、リモートＤＰＣＤ書き込みメッセージを介して送信される、請求項９のＭＳＴソースデバイス。
【請求項１７】
マルチストリームトランスポート（ＭＳＴ）シンクを介して第１ディスプレイ及び第２ディスプレイと通信する方法であって、
前記ＭＳＴシンクの物理リンクに関連するＤｉｓｐｌａｙＰｏｒｔ構成データ（ＤＰＣＤ）と、前記ＭＳＴシンクの論理リンクに関連する仮想ＤＰＣＤ（ＶＤＰＣＤ）と、をソースデバイスから受信することと、
前記ＤＰＣＤ及び前記ＶＤＰＣＤを前記ＭＳＴシンクのメモリに記憶することと、
前記ＭＳＴシンクが、前記ソースデバイスによって送信されたパケット化されたデータを受信することであって、前記ＶＤＰＣＤは、前記パケット化されたデータを表示するように前記第２ディスプレイを構成するための情報を含む、ことと、
前記ＭＳＴシンクが、前記パケット化されたデータを、前記ＤＰＣＤに基づいて、前記物理リンクを介して前記第１ディスプレイに選択的に送信することと、
前記ＭＳＴシンクが、前記パケット化されたデータを、前記ＶＤＰＣＤに基づいて、前記論理リンクを介して前記第２ディスプレイに選択的に送信することと、
を備える、方法。
【請求項１８】
前記ＭＳＴシンクのメモリを、ＤｉｓｐｌａｙＰｏｒｔデータアドレス空間を記憶するように構成することをさらに備える、請求項１７の方法。
【請求項１９】
前記ＶＤＰＣＤはＤＰＣＤ構文に少なくとも部分的に準拠する、請求項１７の方法。
【請求項２０】
前記ＶＤＰＣＤの保存されたフィールド状態を前記ＭＳＴシンクのメモリに記憶することと、
前記ＭＳＴシンクが、前記ソースデバイスからの問い合わせを受信することと、
前記ＭＳＴシンクが、前記問い合わせに応じて、前記ＶＤＰＣＤの保存されたフィールド状態を送信することと、をさらに備える、請求項１７の方法。
【請求項２１】
前記ＶＤＰＣＤは、表示ストリーム圧縮（ＤＳＣ）を使用して圧縮されたデータを受信するように前記第２ディスプレイを構成するための情報を含む、請求項１７の方法。
【請求項２２】
前記ＶＤＰＣＤは、ダイナミックリフレッシュレート（ＤＲＲ）に適した前記第２ディスプレイを構成するための情報を含む、請求項１７の方法。
【請求項２３】
前記ＶＤＰＣＤは、パネルセルフリフレッシュ（ＰＳＲ）に適した前記第２ディスプレイを構成するための情報を含む、請求項１７の方法。
【請求項２４】
前記ＭＳＴシンクが、リモートＤＰＣＤ書き込みメッセージを介して前記ソースデバイスから前記ＶＤＰＣＤを受信することをさらに備える、請求項１７の方法。
【請求項２５】
ソースデバイスと通信可能に接続された受信機であって、パケット化されたデータを受信する受信機と、
物理リンクを介して第１ディスプレイと通信可能に接続された出力ＤｉｓｐｌａｙＰｏｒｔと、
非ＤｉｓｐｌａｙＰｏｒｔ（ＤＰ）リンクを介して非ＤＰディスプレイと通信可能に接続された論理ポートと、
前記出力ＤｉｓｐｌａｙＰｏｒｔに関連するＤｉｓｐｌａｙＰｏｒｔ構成データ（ＤＰＣＤ）を記憶し、前記論理ポートに関連する仮想ＤＰＣＤ（ＶＤＰＣＤ）を記憶するメモリであって、前記ＶＤＰＣＤは、前記パケット化されたデータを表示するように前記非ＤＰディスプレイを構成するための情報を含む、メモリと、
前記パケット化されたデータを、前記ＤＰＣＤに基づいて、前記物理リンクを介して前記第１ディスプレイに選択的に送信する送信機であって、前記パケット化されたデータを、前記ＶＤＰＣＤに基づいて、前記論理リンクを介して前記非ＤＰディスプレイに選択的に送信する送信機と、
を備える、マルチストリームトランスポート（ＭＳＴ）シンクデバイス。
【請求項２６】
前記メモリは、ＤｉｓｐｌａｙＰｏｒｔデータアドレス空間を含む、請求項２５のＭＳＴシンクデバイス。
【請求項２７】
前記ＶＤＰＣＤはＤＰＣＤ構文に少なくとも部分的に準拠する、請求項２５のＭＳＴシンクデバイス。
【請求項２８】
前記受信機は、前記ソースデバイスからの問い合わせを受信し、
前記メモリは、前記ＶＤＰＣＤの保存されたフィールド状態を記憶し、
前記送信機は、前記問い合わせに応じて、前記保存されたフィールド状態を送信する、請求項２５のＭＳＴシンクデバイス。
【請求項２９】
前記ＶＤＰＣＤは、表示ストリーム圧縮（ＤＳＣ）を使用して圧縮されたデータを受信するように前記非ＤＰディスプレイを構成するための情報を含む、請求項２５のＭＳＴシンクデバイス。
【請求項３０】
前記ＶＤＰＣＤは、ダイナミックリフレッシュレート（ＤＲＲ）に適した前記非ＤＰディスプレイを構成するための情報を含む、請求項２５のＭＳＴシンクデバイス。
【請求項３１】
前記ＶＤＰＣＤは、パネルセルフリフレッシュ（ＰＳＲ）に適した前記非ＤＰディスプレイを構成するための情報を含む、請求項２５のＭＳＴシンクデバイス。
【請求項３２】
前記ＶＤＰＣＤは、リモートＤＰＣＤ書き込みメッセージを介して受信される、請求項２５のＭＳＴシンクデバイス。
【請求項３３】
物理リンクを介して第１ディスプレイと通信可能に接続されているマルチストリームトランスポート（ＭＳＴ）シンクを介して、前記第１ディスプレイと通信可能に接続された送信機であって、非ＤｉｓｐｌａｙＰｏｒｔ（ＤＰ）リンクを介して非ＤＰディスプレイと通信可能に接続されている前記ＭＳＴシンクを介して、前記非ＤＰディスプレイと通信可能に接続された送信機と、
前記物理リンクのＤｉｓｐｌａｙＰｏｒｔ構成データ（ＤＰＣＤ）を、メモリに記憶するために前記ＭＳＴシンクに送信し、前記非ＤＰリンクの仮想ＤＰＣＤ（ＶＤＰＣＤ）を、前記メモリに記憶するために前記ＭＳＴシンクに送信する送受信機と、
を備える、ＭＳＴソースデバイス。
【請求項３４】
前記メモリは、ＤｉｓｐｌａｙＰｏｒｔデータアドレス空間を含む、請求項３３のＭＳＴソースデバイス。
【請求項３５】
前記ＶＤＰＣＤはＤＰＣＤシンタックスに少なくとも部分的に準拠する、請求項３３のＭＳＴソースデバイス。
【請求項３６】
前記送受信機は、問い合わせを前記ＭＳＴシンクに送信し、前記ＶＤＰＣＤの保存されたフィールド状態を示す前記問い合わせに対する応答を前記ＭＳＴシンクから受信する、請求項３３のＭＳＴソースデバイス。
【請求項３７】
前記ＶＤＰＣＤは、表示ストリーム圧縮（ＤＳＣ）を使用して圧縮されたデータを受信するように前記非ＤＰディスプレイを構成するための情報を含む、請求項３３のＭＳＴソースデバイス。
【請求項３８】
前記ＶＤＰＣＤは、ダイナミックリフレッシュレート（ＤＲＲ）に適した前記非ＤＰディスプレイを構成するための情報を含む、請求項３３のＭＳＴソースデバイス。
【請求項３９】
前記ＶＤＰＣＤは、パネルセルフリフレッシュ（ＰＳＲ）に適した前記非ＤＰディスプレイを構成するための情報を含む、請求項３３のＭＳＴソースデバイス。
【請求項４０】
前記ＶＤＰＣＤは、リモートＤＰＣＤ書き込みメッセージを介して送信される、請求項３３のＭＳＴソースデバイス。
【請求項４１】
マルチストリームトランスポート（ＭＳＴ）シンクを介してＤｉｓｐｌａｙＰｏｒｔ（ＤＰ）ディスプレイ及び非ＤＰディスプレイと通信する方法であって、
前記ＭＳＴシンクの物理リンクに関連するＤｉｓｐｌａｙＰｏｒｔ構成データ（ＤＰＣＤ）と、前記ＭＳＴシンクの非ＤＰリンクに関連する仮想ＤＰＣＤ（ＶＤＰＣＤ）と、をソースデバイスから受信することと、
前記ＤＰＣＤ及び前記ＶＤＰＣＤを前記ＭＳＴシンクのメモリに記憶することと、
前記ＭＳＴシンクが、前記ソースデバイスによって送信されたパケット化されたデータを受信することであって、前記ＶＤＰＣＤは、前記パケット化されたデータを表示するように前記非ＤＰディスプレイを構成するための情報を含む、ことと、
前記ＭＳＴシンクが、前記パケット化されたデータを、前記ＤＰＣＤに基づいて、前記物理リンクを介して前記ＤＰディスプレイに選択的に送信することと、
前記ＭＳＴシンクが、前記パケット化されたデータを、前記ＶＤＰＣＤに基づいて、前記論理リンクを介して前記非ＤＰディスプレイに選択的に送信することと、
を備える、方法。
【請求項４２】
前記ＭＳＴシンクのメモリを、ＤｉｓｐｌａｙＰｏｒｔデータアドレス空間を記憶するように構成することをさらに備える、請求項４１の方法。
【請求項４３】
前記ＶＤＰＣＤはＤＰＣＤ構文に少なくとも部分的に準拠する、請求項４１の方法。
【請求項４４】
前記ＶＤＰＣＤの保存されたフィールド状態を前記ＭＳＴシンクのメモリに記憶することと、
前記ＭＳＴシンクが、前記ソースデバイスからの問い合わせを受信することと、
前記ＭＳＴシンクが、前記問い合わせに応じて、前記ＶＤＰＣＤの保存されたフィールド状態を送信することと、をさらに備える、請求項４１の方法。
【請求項４５】
前記ＶＤＰＣＤは、表示ストリーム圧縮（ＤＳＣ）を使用して圧縮されたデータを受信するように前記非ＤＰディスプレイを構成するための情報を含む、請求項４１の方法。
【請求項４６】
前記ＶＤＰＣＤは、ダイナミックリフレッシュレート（ＤＲＲ）に適した前記非ＤＰディスプレイを構成するための情報を含む、請求項４１の方法。
【請求項４７】
前記ＶＤＰＣＤは、パネルセルフリフレッシュ（ＰＳＲ）に適した前記非ＤＰディスプレイを構成するための情報を含む、請求項４１の方法。
【請求項４８】
前記ＭＳＴシンクが、リモートＤＰＣＤ書き込みメッセージを介して前記ソースデバイスから前記ＶＤＰＣＤを受信することをさらに備える、請求項４１の方法。
【請求項４９】
内部ディスプレイと、
ソースデバイスと通信可能に接続されたソースＤｉｓｐｌａｙＰｏｒｔと、
物理リンクを介して外部ディスプレイと通信可能に接続された出力ＤｉｓｐｌａｙＰｏｒｔと、
前記出力ＤｉｓｐｌａｙＰｏｒｔに関連するＤｉｓｐｌａｙＰｏｒｔ構成データ（ＤＰＣＤ）を記憶し、前記内部ディスプレイに関連する仮想ＤＰＣＤ（ＶＤＰＣＤ）を記憶するメモリと、
前記ソースＤｉｓｐｌａｙＰｏｒｔ、前記出力ＤｉｓｐｌａｙＰｏｒｔ及び前記メモリと通信可能に接続されたプロセッサであって、パケット化されたデータを、前記ソースＤｉｓｐｌａｙＰｏｒｔを介して前記ソースデバイスから受信し、前記パケット化されたデータを、前記ＤＰＣＤに基づいて、前記物理リンクを介して前記外部ディスプレイに選択的に送信し、前記パケット化されたデータを、前記ＶＤＰＣＤに基づいて、前記内部ディスプレイに選択的に送信するプロセッサと、を備え、
前記ＶＤＰＣＤは、前記パケット化されたデータを表示するように前記内部ディスプレイを構成するための情報を含む、
モニタ。
【請求項５０】
前記メモリは、ＤｉｓｐｌａｙＰｏｒｔデータアドレス空間を含む、請求項４９のモニタ。
【請求項５１】
前記ＶＤＰＣＤはＤＰＣＤ構文に少なくとも部分的に準拠する、請求項４９のモニタ。
【請求項５２】
前記プロセッサは、前記ソースデバイスからの問い合わせを受信し、
前記メモリは、前記ＶＤＰＣＤの保存されたフィールド状態を記憶し、
前記プロセッサは、前記問い合わせに応じて、前記保存されたフィールド状態を、前記ソースＤｉｓｐｌａｙＰｏｒｔを介して前記ソースデバイスに送信する、請求項４９のモニタ。
【請求項５３】
前記ＶＤＰＣＤは、表示ストリーム圧縮（ＤＳＣ）を使用して圧縮されたデータを受信するように前記内部ディスプレイを構成するための情報を含む、請求項４９のモニタ。
【請求項５４】
前記ＶＤＰＣＤは、ダイナミックリフレッシュレート（ＤＲＲ）に適した前記内部ディスプレイを構成するための情報を含む、請求項４９のモニタ。
【請求項５５】
前記プロセッサは、リモートＤＰＣＤ書き込みメッセージを介して前記ＶＤＰＣＤを受信する、請求項４９のモニタ。
【請求項５６】
前記ＶＤＰＣＤは、パネルセルフリフレッシュ（ＰＳＲ）に適した前記内部ディスプレイを構成するための情報を含む、請求項４９のモニタ。
【請求項５７】
前記ソースデバイスから受信したパケット化されたデータは、圧縮されている、請求項４９のモニタ。
【請求項５８】
内部ディスプレイ、第１ＤｉｓｐｌａｙＰｏｒｔ及び第２ＤｉｓｐｌａｙＰｏｒｔを含む第１ディスプレイと、
前記第２ＤｉｓｐｌａｙＰｏｒｔと通信可能に接続された第２ディスプレイと、
前記第１ＤｉｓｐｌａｙＰｏｒｔと通信可能に接続されたソースデバイスと、を備え、
前記第１ディスプレイは、
前記第２ＤｉｓｐｌａｙＰｏｒｔに関連するＤｉｓｐｌａｙＰｏｒｔ構成データ（ＤＰＣＤ）を記憶し、前記内部ディスプレイに関連する仮想ＤＰＣＤ（ＶＤＰＣＤ）を記憶し、
パケット化されたデータを、前記第１ＤｉｓｐｌａｙＰｏｒｔを介して前記ソースデバイスから受信し、
前記パケット化されたデータを、前記ＤＰＣＤに基づいて、前記第２ＤｉｓｐｌａｙＰｏｒｔを介して前記第２ディスプレイに選択的に送信し、
前記パケット化されたデータを、前記ＶＤＰＣＤに基づいて、前記内部ディスプレイに選択的に送信し、
前記ＶＤＰＣＤは、前記パケット化されたデータを表示するように前記内部ディスプレイを構成するための情報を含む、
ディスプレイシステム。
【請求項５９】
前記第１ディスプレイは、ＤｉｓｐｌａｙＰｏｒｔデータアドレス空間を記憶する、請求項５８のディスプレイシステム。
【請求項６０】
前記ＶＤＰＣＤはＤＰＣＤ構文に少なくとも部分的に準拠する、請求項５８のディスプレイシステム。
【請求項６１】
前記第１ディスプレイは、
前記ソースデバイスからの問い合わせを受信し、
前記ＶＤＰＣＤの保存されたフィールド状態を記憶し、
前記問い合わせに応じて、前記保存されたフィールド状態を、前記第１ＤｉｓｐｌａｙＰｏｒｔを介して前記ソースデバイスに送信する、請求項５８のディスプレイシステム。
【請求項６２】
前記ＶＤＰＣＤは、表示ストリーム圧縮（ＤＳＣ）を使用して圧縮されたデータを受信するように前記内部ディスプレイを構成するための情報を含む、請求項５８のディスプレイシステム。
【請求項６３】
前記ＶＤＰＣＤは、ダイナミックリフレッシュレート（ＤＲＲ）に適した前記内部ディスプレイを構成するための情報を含む、請求項５８のディスプレイシステム。
【請求項６４】
前記第１ディスプレイは、リモートＤＰＣＤ書き込みメッセージを介して前記ＶＤＰＣＤを受信する、請求項５８のディスプレイシステム。
【請求項６５】
前記ＶＤＰＣＤは、パネルセルフリフレッシュ（ＰＳＲ）に適した前記内部ディスプレイを構成するための情報を含む、請求項５８のディスプレイシステム。
【請求項６６】
前記ソースデバイスから受信したパケット化されたデータは、圧縮されている、請求項５８のディスプレイシステム。